(57)【要約】【課題】磁力を用いてロックピンを移動させると共に、内部に含まれた磁石の配列を暗号として使用する磁石式施錠装置を提供する。【解決手段】本発明の磁石式施錠装置は、外部に設けられたロックホールにロックピンが出入りすることにより施錠および解錠が行われる施錠装置において、前記施錠装置は、内部に少なくとも一つの磁石片および少なくとも一つの金属片からなる第１配列を有し、前記第１磁石片および金属片に作用する磁力によって前記ロックホールに出入りするロックピンを有するロック器具を含む錠と、前記第１配列の第１磁石片および金属片に作用する前記磁力を形成させる第２配列の第２磁石片を有する鍵とを含んでなることを特徴とする。【選択図】図１
2015117572.tif 000002
【特許請求の範囲】
【請求項１】
外部に設けられたロックホールにロックピンが出入りすることにより施錠および解錠が行われる施錠装置において、
前記施錠装置は、
内部に少なくとも一つの磁石片および少なくとも一つの金属片からなる第１配列を有し、前記第１磁石片および金属片に作用する磁力によって前記ロックホールに出入りするロックピンを有するロック器具を含む錠と、
前記第１配列の第１磁石片および金属片に作用する前記磁力を形成させる第２配列の第２磁石片を有する鍵とを含んでなることを特徴とする、磁石式施錠装置。
【請求項２】
前記第２配列は、前記第１磁石片と前記金属片の全てに斥力または引力を同時に作用させる配列であることを特徴とする、請求項１に記載の磁石式施錠装置。
【請求項３】
前記ロック器具は、
前記鍵において前記第１磁石片および前記金属片に伝達される磁力によって撓む柔軟性材質のストリップと、前記ストリップの撓みに応じて位置が移動するロックピンとを含むことを特徴とする、請求項２に記載の磁石式施錠装置。
【請求項４】
前記第２磁石片は前記ストリップの一端の一面に装着され、前記第１磁石片または前記金属片は前記ストリップの一端の他面に装着されることを特徴とする、請求項３に記載の磁石式施錠装置。
【請求項５】
前記錠は前記ロック器具が内部に装着されるケースをさらに含み、前記ストリップの他端は前記ケースに連結されて固定されることを特徴とする、請求項４に記載の磁石式施錠装置。
【請求項６】
前記鍵は前記第２磁石片が内部に装着されるケースをさらに含むことを特徴とする、請求項５に記載の磁石式施錠装置。
【請求項７】
前記錠の第１磁石片と前記鍵の第２磁石片は互いに対応するように所定の間隔で配置されることを特徴とする、請求項６に記載の磁石式施錠装置。
【請求項８】
請求項１〜７のいずれか１項に記載の磁石式施錠装置が備えられた広告板。
【発明の詳細な説明】
【技術分野】
【０００１】
本発明は、磁石式施錠装置に関し、より詳しくは、磁石がそれぞれ埋め込まれている鍵と錠の磁力を用いてセキュリティー設定を可能とした磁石式施錠装置に適用して好適である。
【背景技術】
【０００２】
施錠装置は、通常、鍵と錠を持っており、錠にはロックピンが備えられ、平素は施錠されているが、解除情報を有する特定の鍵が機械的または電気的に提供されると施錠を解除する装置である。
【０００３】
施錠装置の一形態は、ドアの施錠装置のように、施錠装置のロックピンが外部のロックホールを出入りする移動に応じて施錠状態と解錠状態が決定される構造を取る。この際、ロックピンの移動は、鍵に加わる外力、例えば人間の力などの作用による機械的な移動が一般的である。
【０００４】
したがって、従来の施錠装置は、構造が複雑で、設計が難しく、外観的にも優れたデザインを提供していない。
【０００５】
一方、磁石とは、鉄を引き寄せる程度に磁化している物体のことをいう。全ての磁石はＮ極とＳ極の両方を持っている。簡単な棒磁石の極は棒の端にある。磁石のＮ極を他の磁石のＮ極に近付けると、互いにしりぞけあう。Ｓ極同士も同様の現象を示す。
【０００６】
前述した磁石の性質を用いた各種の装置が施錠装置、例えば窓自動施錠装置、ドア施錠装置、シートベルト用施錠装置などに適用されているが、大部分の場合は、磁石を機械的な構成要素の一つとして組み込ませて使用している。
【発明の概要】
【発明が解決しようとする課題】
【０００７】
しかしながら、上述した各種の施錠装置は、構成が複雑であり、製造工程も煩雑であり、小型で且つセキュリティーの高い施錠装置を実現することは困難であった。
【０００８】
そこで、本発明は、上記問題に鑑みてなされたものであり、本発明の目的とするところは、磁力を用いてロックピンを移動させると共に、内部に含まれた磁石の配列を暗号として使用する、新規かつ改良された磁石式施錠装置を提供することにある。
【課題を解決するための手段】
【０００９】
上記課題を解決するために、本発明のある観点によれば、外部に設けられたロックホールにロックピンが出入りすることにより施錠および解錠が行われる施錠装置において、前記施錠装置は、内部に少なくとも一つの磁石片および少なくとも一つの金属片からなる第１配列を有し、前記第１磁石片および金属片に作用する磁力によって前記ロックホールに出入りするロックピンを有するロック器具を含む錠と、前記第１配列の第１磁石片および金属片に作用する前記磁力を形成させる第２配列の第２磁石片を有する鍵とを含んでなる、磁石式施錠装置が提供される。
【００１０】
ここで、前記第２配列は、前記第１磁石片と前記金属片の全てに斥力または引力を同時に作用させる配列であっても良い。
【００１１】
また、前記ロック器具は、前記鍵において前記第１磁石片および前記金属片に伝達される磁力によって撓む柔軟性材質のストリップと、前記ストリップの撓みに応じて位置が移動するロックピンとを含むものであっても良い。
【００１２】
また、前記第２磁石片は前記ストリップの一端の一面に装着され、前記第１磁石片または前記金属片は前記ストリップの一端の他面に装着されるものであっても良い。
【００１３】
また、前記錠は前記ロック器具が内部に装着されるケースをさらに含み、前記ストリップの他端は前記ケースに連結されて固定されるものであっても良い。
【００１４】
また、前記鍵は前記第２磁石片が内部に装着されるケースをさらに含むものであっても良い。
【００１５】
また、前記錠の第１磁石片と前記鍵の第２磁石片は互いに対応するように所定の間隔で配置されるものであっても良い。
【００１６】
また、本発明の他の観点によれば、前述した磁石式施錠装置が備えられた広告板が提供される。
【発明の効果】
【００１７】
以上説明したように本発明によれば、構成および製造が簡単で、セキュリティー性が高く、小型製作が可能であるため、施錠装置が必要な各種の物品に様々に応用することができる。
【図面の簡単な説明】
【００１８】
【図１】本発明の実施例に係る磁石式施錠装置の分解斜視図である。
【図２】本発明の実施例に使用される磁石式施錠装置の概念図である。
【図３】本発明の実施例に係る広告板の分解斜視図である。
【図４】フレームの斜視図である。
【図５】図４のＩ−Ｉ線に沿った断面図である。
【図６】図４のＩＩ−ＩＩ線に沿った断面図である。
【図７】本発明の実施例に係る広告シートの前面図である。
【図８】本発明の実施例に係る広告板の作用図である。
【図９】本発明の実施例に係る広告板の設置方法を説明する説明図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
以下に本発明を詳細に説明するに先立ち、本明細書に使用された用語は、特定の実施例を記述するためのものに過ぎず、特許請求の範囲によってのみ限定される本発明の範囲を限定しようとするものではないことを申し添える。本明細書に使用される全ての技術用語および科学用語は、別に言及しない限り、通常の技術を有する者に一般に理解される意味と同一の意味を持つ。
【００２１】
本明細書および請求の範囲の全般にわたって、別に言及しない限り、含む（ｃｏｍｐｒｉｓｅ、ｃｏｍｐｒｉｓｅｓ、ｃｏｍｐｒｉｓｉｎｇ）という用語は、言及された物、段階または一群の物、および段階を含むことを意味し、任意のある他の物、段階または一群の物または一群の段階を排除する意味で使用されたものではない。
【００２２】
一方、本発明の様々な実施例は、明確な反対の指摘がない限り、その他のいずれの実施例とも結合できる。特に、「好ましい」または「有利である」と指示するいずれの特徴も、「好ましい」または「有利である」と指示したその他のいずれの特徴および特徴等と結合できる。
【００２３】
以下、添付図面を参照して、本発明に係る好適な実施例を詳細に説明する。
図１は本発明の実施例に係る磁石式施錠装置１０の分解斜視図である。
本発明に係る磁石式施錠装置１０は、外部のロックホールに出入りするロックピン１２４の移動が磁力によって行われる。このため、本発明の一実施例に係る磁石式施錠装置１０は錠１１０と鍵２１０を含む。
【００２４】
錠１１０は第１ケース１１１およびロック器具１２０を含んでなる。ケースはロック器具１２０を収容する空間を形成する。
【００２５】
ロック器具１２０は、鍵２１０から伝達される磁力に応じて内部のロックピン１２４の位置が変動しながら、外部のロックホールに出入りして施錠と解錠を行うことができる。
【００２６】
本実施例において、ロック器具１２０は、ストリップ１２１、装着部１２２、第１磁石片または金属片１２３、およびロックピン１２４を含んで構成される。第１ケース１１１内にロック器具１２０は少なくとも２つ備えられる。
【００２７】
本実施例において、ストリップ１２１は、柔軟性のある材質からなる薄い帯であって、一端が装着部１２２を介して第１ケース１１１に固定され、他端には第１磁石片または金属片１２３、およびロックピン１２４がさらに備えられる。この際、他端の一面、すなわち鍵２１０の第２磁石片２２１の磁力がくる側の面には第１磁石片または金属片１２３が備えられ、他面にはロックピン１２４が備えられる。
【００２８】
したがって、ストリップ１２１は、一面に備えられた第１磁石片または金属片１２３が磁力を受けるときに撓み、他面のロックピン１２４の位置移動を可能とする。
【００２９】
すなわち、ロックピン１２４は、ストリップ１２１が撓んでいない状態では外部のロックホール２８に挿入されて施錠装置を維持し、ストリップ１２１が撓んでいる状態では穿孔ホール３２から取り外されて解除状態となる。
【００３０】
この際、第１磁石片または金属片１２３は、ロックピン１２４の移動を発生させる構成要素として作用するうえ、その配列は磁石式施錠装置１０の暗号として作用する。これについての事項は後述する。
【００３１】
装着部１２２は、第１ケース１１１の内部に備えられた装着溝１１２に嵌め込まれてストリップ１２１を第１ケース１１１に固定させる。一方、実施例によっては、装着部１２２なしでストリップ１２１が直接第１ケース１１１に装着されることも可能である。
【００３２】
未説明の図面符号１２５は、第１磁石片または金属片１２３をストリップに付着させるための突起である。第１磁石片または金属片１２３に孔を穿設し、前記突起と前記第１磁石片または金属片１２３とを互いに嵌合することができる。
【００３３】
鍵２１０は、第２ケース２１１と第２磁石片２２１を含む。第２磁石片２２１は少なくとも２つの磁石を含むことができる。第２ケース内２１１には、第２磁石片２２１を装着するための装着溝２３１が設けられる。装着溝２３１同士の距離を錠１１０のストリップ１２１に取り付けられた第１磁石片または金属片１２３同士の距離と一致させることにより、装着溝２３１と第１磁石片または金属片１２３とが互いに対応できるようにすることが好ましい。未説明の図面符号２２３は第２ケースの蓋を示す。
【００３４】
以下、図２を参照して、磁石式施錠装置１０の施錠／解錠メカニズムについて説明する。錠１１０に備えられる第１磁石片または金属片１２３は、鍵２１０の第２磁石片２２１に反応して引力または斥力を示すことができる。
【００３５】
例えば、第１磁石片または金属片１２３に引力を誘発するように鍵２１０の第２磁石片２２１を鍵１１０の第１磁石片または金属片１２３に接近させたとき、施錠装置の柔軟性を有するストリップ１２１は鍵２１０が接近する方向に撓む（図２ｂ）。
【００３６】
したがって、錠１１０の第１磁石片または金属片１２３を少なくとも２つ備えさせるときに引力を作用させることが可能な鍵２１０の第２磁石片２２１の極性配列は、暗号となれる。
【００３７】
すなわち、錠１１０の磁石片が４つであり、鍵２１０がある方向に、Ｎの極性を示す磁石片、Ｓの極性を示す磁石片、Ｎの極性を示す磁石片、および金属片からなる第１配列であるとき、錠１１０の方向にＳの極性を示す磁石片、Ｎの極性を示す磁石片、またはＮまたはＳの極性を示す磁石片からなる第２配列は、錠１１０の磁石片および金属片の全てに引力を作用させて鍵２１０として使用できる。
【００３８】
表１は本発明に係る錠１１０の第１磁石片または金属片１２３の配列、およびこれに引力を示すための鍵２１０の第２磁石片２２１の暗号配列を示す。この際、金属片はＭで表示した。
【００３９】
【表１】
2015117572.tif 000003
【００４０】
一方、錠１１０には金属片が必ず含まれなければならないが、これは、ロックピン１２４が磁石片のみからなる場合、鉄板を当てるときにも引力が作用して解除状態を誘発するおそれがあるためである。
【００４１】
次に、本発明に係る磁石式施錠装置１０が備えられた広告板について説明する。
図３は本発明の実施例に係る広告板の分解斜視図である。図３を参照すると、本発明の実施例に係る広告板は、フレーム２０、広告シート３０、並びに広告シート３０の固定および分離を制御する施錠装置１０を含んでなる。
【００４２】
フレーム２０を様々な広告シート３０の固定および分離が簡単かつ容易に行われるようにして、フレーム２０に設置される広告シート３０の安定な装着を可能とし、必要に応じては容易に取り替えることができるようにする。
【００４３】
次に、フレーム２０および広告シート３０について、図４〜図７を参照してさらに詳しく説明する。図４はフレームの斜視図、図５は図４のＩ−Ｉ線に沿った断面図、図６は図４のＩＩ−ＩＩ線に沿った断面図、図７は本発明の実施例に係る広告シート３０の前面図である。
【００４４】
フレーム２０は、広告板が固定されるべき面に固定されるプレート状のプレート部２２と、プレート部２２の外周に備えられる蓋部２４とを含む。
【００４５】
蓋部２４は、プレート部２２の外周から内部に二重折曲される蓋２５と、プレート部２２との間の空間に、広告シート３０の外周に設けられた突起（装着部３１）が挿入できるように空間としての収容部２６を備える。収容部２６の厚さは、挿入されるシートの厚さによって異なるが、通常０．２〜０．７ｍｍ程度とする。
【００４６】
蓋２５は、３〜１０ｍｍ程度の幅を有するが、上端の幅は残りの端部の幅よりさらに大きくすることが好ましい。これは後述するように広告シート３０の装着部３１が外部に露出して美観を害することを防ぐためである。
【００４７】
収容部２６は多数の空間に分割されるが、これは後述する広告シート３０の装着部３１が容易に収容されるようにするためである。
【００４８】
収容部２６の空間分割は様々な方法で行われ得る。熱やステープラー（ホチキス）などを用いてプレート部２２と蓋２５の一定地点を溶融または機械的媒介体で互いに連結して空間を分割することができる。また、接着剤を用いて空間を分割することもできる。
【００４９】
図６に示した実施例において、空間分割は高周波を用いた融着で行われている。この場合、高周波機器で蓋から下部に融着ホール２７を設け、蓋２５とプレート部２２とを互いに熱で融着させる。
【００５０】
一方、プレート部２２と蓋２５は、前述したように一枚のシートが折り曲げられて形成されることが好ましいが、蓋２５がプレート部２２の外周と結合したものであってもよい。フレーム２０の材料はプラスチック、紙、金属などの板材から構成できる。
【００５１】
蓋２５の一領域は、後述する施錠装置が設置される領域であって、蓋２５が除去されて開放部が設けられる。この開放部に対応するプレート部２２には、後述する施錠装置のロックピン１２４が挿入できるロックホール２８が設けられる。
【００５２】
広告シート３０は、広告すべき内容が印刷された用紙であって、通常０．２〜０．７ｍｍの厚さを有する紙、プラスチック、金属のシートである。広告シート３０は、通常、四角形状をし、収容部２６に挿入されるために装着部３１を有する。装着部３１は、突出した羽根状をし、収容部２６が空間分割されている場合、分割された収容部２６の個数分だけ複数個備えられることが好ましい。
【００５３】
蓋２５の下部の収容部２６を複数に分割し、収容部２６に収容される広告シート３０に複数の装着部３１を備えることは、広告シート３０のしっかりとした装着、広告シート３０の容易な着脱、および広告シート装着時の広告シート３０の皺くちゃ防止を図るためである。また、装着の際に広告シート３０の皺くちゃを防止するためには、装着部３１は角部を除いた部分に備えることが好ましい。
【００５４】
これは、広告シート３０の上下左右の全ての装着部３１が収容部２６に嵌め込まなければならない特性上、角部に装着部３１が設けられると、必然的に広告シート３０の設置の際に皺くちゃが発生するから、これを防ぐためである。
【００５５】
一方、蓋２５は、前述した３〜１０ｍｍ程度の幅にすることができるが、一つの広告物を複数の広告板を連結して設置するとき、広告物の連続的な形状をより上手く具現化することができるようにするために、できる限り幅を狭くすることが好ましい。ところが、蓋２５の幅があまり狭い場合は、装着部３１が離脱する可能性が高まり、装着部３１の形状が露出して広告物の審美感が低下する。
【００５６】
したがって、蓋２５の幅は少なくとも装着部３１の幅より広く、４つの蓋２５のうち、１つの幅を残りの１つの幅より大きくすることにより、広告シートの装着の際に皺くちゃが発生しないように且つ装着部３１が露出しないようにすることが好ましい。本実施例では、上端の蓋２５が他方の蓋２５より広い幅に形成されている。
【００５７】
本実施例において、装着部３１は各先端に４〜５個形成されているが、これに限定されない。
【００５８】
広告シート３０は、フレーム２０にロックされるための穿孔ホール３２を備える。穿孔ホール３２は、プレート部２２のロックホール２８に対応する位置に設けられる。
【００５９】
磁石式施錠装置１０は、蓋２５の開放部に対応するプレート部２２に備えられ、固定手段によってプレート部２２に固定される。この際、固定手段には制限がなく、堅固な結合のために、ねじなどの機械的な固定手段を用いることが好ましい。
【００６０】
プレート部２２のロックホール２８の背面には、金属板４０がさらに含まれることが好ましい。これは、錠１１０の第１磁石片が金属板４０に磁力を及ぼして平常時に広告シート３０の浮き上がりを防ぐことができるためである。
【００６１】
次に、本発明に係る磁石式施錠装置１０が広告板に適用される場合、施錠装置の動作および作用を図８を参照して詳細に説明する。
【００６２】
平常時の施錠状態では、錠１１０のロックピン１２４は広告シート３０の穿孔ホール３２およびプレートのロックホール２８に貫入している。この際、広告シート３０は、ロックピン１２４によって、抜けずにフレーム２０に固定される。
【００６３】
次に、錠１１０の鍵２１０を接近させると、錠１１０の全ての第１磁石片および金属片１２３と鍵２１０の第２磁石片２２１との間で引力が作用して、錠１１０のロックピン１２４は上方へ向かうことになり、ロックピン１２４とプレートのロックホール２８との間に空間が確保されて広告シート３０を抜き取ることができる。
【００６４】
広告シート３０は、後述する施錠装置によってフレーム２０にロックされるための穿孔ホール３２を備える。穿孔ホール３２はプレートのロックホール２８に対応する位置に設けられる。
【００６５】
次に、図９を参照して、本発明に係る広告板の設置方法について説明する。フレーム２０を壁面または個人ロッカーなどの被着面に両面テープ、接着剤、ねじなどで付着させる。この際、磁石式施錠装置１０の鍵２１０は錠１１０に結合した状態であり、ロックピンは解除された状態である（図９ａ）。
【００６６】
次に、広告シート３０の右側の各装着部３１を、プレート部２２の右側と蓋２５との間の分割された収容部２６に押し込み（図９ｂ）、広告シート３０の左側の各装着部３１をプレート部２２の左側と蓋２５との間の分割された収容部２６に押し込む（図９ｃ）。この際、右側および左側の順序は変更しても構わない。
【００６７】
次に、広告シート３０の上側の各装着部３１をプレート部２２の上側と蓋２５との間の分割された収容部２６に押し込み（図９ｄ）、広告シート３０の下側の各装着部３１をプレート部２２の下側と蓋２５との間の分割された収容部２６に押し込む（図９ｅ）。この際、上側および下側の順序は変更しないことが好ましい。
【００６８】
このような順序で広告シートを設置することにより、設置および取替が簡便になり、蓋２５の幅を減らしながらも装着部３１が露出しないことが可能となる。
【００６９】
すなわち、前述したように、フレームの蓋２５の幅は装着部３１の幅より広くし、４つの蓋２５のうち、１つの幅は残りの１つの幅より大きくすることにより、広告シート３０の皺くちゃが発生しないながらも装着部３１が露出しないようにすることが可能である。
次に、施錠装置の鍵を除去すると、施錠装置の錠が施錠状態となり、広告シートはフレームから分離されない状態となる（図９ｆ）。
【００７０】
以上、本発明の実施例について説明したが、本発明は、上述した実施例に限定されず、本発明の属する技術分野における通常の知識を有する者であれば、本発明の概念を逸脱することなく変形が可能であり、それらの変形も本発明の範囲に属する。
前述した本発明についての権利範囲は、以下の請求の範囲で定められるものであって、明細書本文の記載に拘束されない。請求の範囲と均等な範囲に属する変形および変更もすべて本発明の範囲に属する。
【符号の説明】
【００７１】
１０    磁石式施錠装置
１１０    錠
１１１    第１ケース
１２０    ロック器具
１２１    ストリップ
１２２    装着部
１２３    第１磁石片または金属片
１２４    ロックピン
２１０    鍵
２１１    第２ケース
２２１    第２磁石片
２２３    第２ケース蓋
２３１    装着溝
２０    フレーム
２２    プレート部
２４    蓋部
２５    蓋
２６    収容部
２７    融着ホール
２８    ロックホール
３０    広告シート
３１    突起部
３２    穿孔ホール
４０    金属板
【図１】
2015117572.tif 000004
【図２】
2015117572.tif 000005
【図３】
2015117572.tif 000006
【図４】
2015117572.tif 000007
【図５】
2015117572.tif 000008
【図６】
2015117572.tif 000009
【図７】
2015117572.tif 000010
【図８】
2015117572.tif 000011
【図９】
2015117572.tif 000012